(57)【要約】      （修正有）【課題】光コネクタ用アダプタにおいて、部品点数を半減することで在庫管理を容易にし、また、組立て工数を低減する。【解決手段】アダプタのハウジングは、挿抜方向に沿って2分割にされた分割体と、該分割体にそれぞれ一体にして前記挿抜方向に沿って背向させて設けられるとともに接続用の係合片を有するスリーブホルダと、前記両スリーブホルダに装着される割りスリーブと、前記分割体の一方の開口部に装着され防塵遮光機能を発揮する金属製バネ薄板で一体に形成されたシャッターとからなり、前記シャッターは、全体が略くの字に形成され、遮光部の側面の一部が内側に折り曲げられた補強部で補強され、略くの字に形成する屈曲部が設けられ、基部に対して遮光部が前記屈曲部の付勢力によって開口部の閉蓋方向に付勢され当該遮光部の先端部が一方の開口部の内壁に当接して遮光するように形成され、遮光部の先端部は、内側に屈曲されている。【選択図】図１
2013113878.tif 000002
【特許請求の範囲】
【請求項１】
光通信用に使用される光コネクタ用アダプタのハウジングは、
挿抜方向に沿って2分割にされた分割体と、
該分割体にそれぞれ一体にして前記挿抜方向に沿って背向させて設けられるとともに接続用の係合片を有するスリーブホルダと、
前記両スリーブホルダに装着される割りスリーブと、
前記分割体の一方の開口部に装着され防塵遮光機能を発揮する金属製バネ薄板で一体に形成されたシャッターとからなり、
前記シャッターは、全体が略くの字に形成され、遮光部の側面の一部が内側に折り曲げられた補強部で補強され、
前記シャッターは、略くの字に形成する屈曲部が設けられ、シャッターの基部に対して遮光部が前記屈曲部の付勢力によって開口部の閉蓋方向に付勢され当該遮光部の先端部が一方の開口部の内壁に当接して遮光するように形成され、
前記シャッターにおける遮光部の先端部は、内側に屈曲されていること、
を特徴とする光コネクタ用アダプタ。
【請求項２】
一方の開口部にシャッターが設けられる分割体のハウジングにおいて、前記一方の開口部の奥の壁面に衝撃吸収用の緩衝材が設けられていること、
を特徴とする請求項１に記載の光コネクタ用アダプタ。
【発明の詳細な説明】
【技術分野】
【０００１】
本発明は、光通信において使用されるシャッター付の光コネクタ用アダプタに関するものである。
【背景技術】
【０００２】
従来、レーザビームが目に障害を与えないように安全対策を施したシャッター付の光コネクタ用アダプタが知られている。例えば、図９に示すように、コネクタハウジング１１ａの両端に、光学軸が一致するように光コネクタの嵌合部と、光コネクタその他の光学部品とをそれぞれ備え、前記嵌合部を斜め配置で閉鎖するシャッター板１１ｂと、該シャッター板を閉鎖方向へ付勢する板バネ１１ｃとを配設し、前記嵌合部に光コネクタを嵌合することによって前記シャッター板１１ｂを板バネ１１ｃの押圧力に抗して開放するように構成した光コネクタ用アダプタ１１が知られている。
【先行技術文献】
【特許文献】
【０００３】
【特許文献１】特開２００８−２２５１３３号公報
【発明の概要】
【発明が解決しようとする課題】
【０００４】
しかし、従来の光コネクタ用アダプタ１１においては、シャッター板１１ｂとこれを付勢する板バネ１１ｃと、割りスリーブ１１ｄと二つのスリーブ１１ｅと、二つのアダプタ（ハウジング本体１１ａと底板１１ｆ）とがそれぞれ用意され、部品点数が多くそれに伴って組立て工数が嵩むものである。本発明に係る光コネクタ用アダプタは、このような課題を解決するために提案されたものである。
【課題を解決するための手段】
【０００５】
本発明に係る光コネクタ用アダプタの上記課題を解決して目的を達成するための要旨は、光通信用に使用される光コネクタ用アダプタのハウジングは、挿抜方向に沿って2分割にされた分割体と、該分割体にそれぞれ一体にして前記挿抜方向に沿って背向させて設けられるとともに接続用の係合片を有するスリーブホルダと、前記両スリーブホルダに装着される割りスリーブと、前記分割体の一方の開口部に装着され防塵遮光機能を発揮する金属製バネ薄板で一体に形成されたシャッターとからなり、前記シャッターは、全体が略くの字に形成され、遮光部の側面の一部が内側に折り曲げられた補強部で補強され、前記シャッターは、略くの字に形成する屈曲部が設けられ、シャッターの基部に対して遮光部が前記屈曲部の付勢力によって開口部の閉蓋方向に付勢され当該遮光部の先端部が一方の開口部の内壁に当接して遮光するように形成され、前記シャッターにおける遮光部の先端部は、内側に屈曲されていることである。
【０００６】
前記一方の開口部にシャッターが設けられる分割体のハウジングにおいて、前記一方の開口部の奥の壁面に衝撃吸収用の緩衝材が設けられていることを含むものである。
【発明の効果】
【０００７】
本発明の光コネクタ用アダプタによれば、アダプタ用ハウジングを挿抜方向に２分割してそれぞれにスリーブホルダを一体にして形成することで、且つ、シャッターを板バネで一体形成することで、全体の部品点数が半減され、在庫管理が容易になり、組立て工数が低減されてコスト低減となる。
【０００８】
また、金属製のシャッターにおける遮光部に補強部を設けたので、遮光部の剛性が高まり、プラグ挿入時にはシャッター全体で撓みながら屈曲部を圧縮して開口部を拡開させる。これにより確実に開口部を密閉することができ、高い防塵性と遮光効果が得られると共に、前記シャッターを開口部に装着する際には、遮光部を基部側に付勢して折り曲げた状態で開口部に装着し、その後、付勢力を開放することで開口部に取り付けられるので、取付け方法が簡単であるとともに安定して閉蓋状態を維持することができる。
【０００９】
前記シャッターが全面において金属製であるので、レーザーの内部反射による２次光及び、更なる反射の３次光までも遮断して、高い遮光性が得られるものである。
【００１０】
更に、シャッター側の開口部において緩衝材があるので、この開口部に挿入されたプラグのハウジングが勢い良く奥の壁面に衝突した際の、音の発生を防止でき、作業者が嵌合時のロック音と誤解しないようになり、確実な光接続が可能となる。
【００１１】
前記シャッターにおける遮光部の先端部の一部は内側に屈曲されているので、遮光部の剛性を補うと共に、開口部に装着されたプラグのハウジングが抜去されるときに、前記先端部のエッジで引っかかりが生じるということが防止され、スムーズな相手方プラグの脱着が維持される、と言う数々の優れた効果を奏するものである。
【図面の簡単な説明】
【００１２】
【図１】本発明に係る光コネクタ用アダプタ１の組立前の分解状態を示す斜め前方斜視図（Ａ）と、斜め後方斜視図（Ｂ）とである。
【図２】同本発明の光コネクタ用アダプタ１の前方から見た斜視図（Ａ）と、後方下から見た斜視図（Ｂ）とである。
【図３】同光コネクタ用アダプタ１の正面図（Ａ）、側面図（Ｂ）、背面図（Ｃ）、平面図（Ｄ）、底面図（Ｅ）である。
【図４−Ａ】光コネクタ用アダプタ１の分割体２を一方の開口部２ａ側から見た斜視図である。
【図４−Ｂ】同光コネクタ用アダプタ１におけるシャッター５の斜視図である。
【図５】光コネクタ用アダプタ１の一部を破断して内部を示す斜視図（Ａ），（Ｂ）と、光コネクタプラグ１０との嵌合時のプラグハウジング１０ａの衝突の様子を示す一部を破断して内部を示す嵌合斜視図（Ｃ）とである。
【図６】緩衝材８としてのコイルスプリングの正面図（Ａ）、側面図（Ｂ）、平面図（Ｃ）、斜視図（Ｄ）である。
【図７−Ａ】光コネクタ用アダプタ１と光コネクタプラグ１０との嵌合の様子を示す斜視図（Ａ），（Ｂ）である。
【図７−Ｂ】同光コネクタ用アダプタ１と光コネクタプラグ１０との嵌合の様子を手順に示す縦断面図（Ａ）〜（Ｄ）である。
【図８】図７−Ｂ（Ｄ）の一部を拡大して示す縦断面図である。
【図９】従来例に係る光コネクタ用アダプタ１１の分解斜視図である。
【発明を実施するための形態】
【００１３】
本発明に係る光コネクタ用アダプタ１は、図１に示すように、挿抜方向に沿って2分割にされた分割体とすることで金型の成形を可能とし、スリーブホルダを一体化し、且つ、シャッターも金属製板バネで一体化して閉蓋用バネを不要にして、部品点数を減少させたものである。
【実施例１】
【００１４】
本発明に係る光コネクタ用アダプタ１は、図１（Ａ），（Ｂ）に示すように、アダプタ用ハウジングは、前後方向である挿抜方向に沿って2分割にされた第１分割体２と第２分割体３となっている。嵌合・合体用に、係合片２ｃ、係合孔２ｄ、係合突起２ｅ、ガイド片２ｆ、ガイド位置決め部２ｇなどが突設もしくは穿設されている。第１分割体２と第２分割体３は同一部品であるので、第２分割体３にも同様な相補的係合固定部材が設けられている。
【００１５】
前記第１分割体２と第２分割体３とには、それぞれ一体にして前記挿抜方向に沿って背向させて設けられるとともに接続用の係合片６ａ（図４−Ａ参照）を有するスリーブホルダ７が設けられている。スリーブホルダ７は、挿抜方向に沿った貫通孔が設けられている。前記スリーブホルダ７は、従来ではアダプタ用ハウジングとは別体に成形され、組立てされていたが、本発明の光コネクタ用アダプタ１の場合には、前記両分割体２，３に一体成形されるものであり、部品点数の低減となっている。
【００１６】
前記両スリーブホルダ７，７に装着される割りスリーブ４がある。この割りスリーブ４に両側から接続対象のプラグ等におけるフェルールが挿入され、光軸が一致されて光接続がなされるものである。
【００１７】
前記分割体の一方の開口部、この実施例では第１分割体２の開口部２ａに装着され防塵遮光機能を発揮する金属製バネ板で一体に形成されたシャッター５がある。
【００１８】
前記シャッター５は、図４−Ｂ（Ａ）に示すように、全体が略くの字に形成され、基部５ａと、屈曲部５ｃと、遮光部５ｄとでなる薄板（t=0.02〜0.05mm）である。前記基部５ａには第１分割体２に固定するための係合孔５ｂが設けられている。
【００１９】
前記屈曲部５ｃは、図４−Ｂ（Ｂ）に示すように、前記遮光部５ｄの復帰用の付勢力を得るものである。これにより、復帰用のトーションバネ等をシャッターの別体として装備する必要が無くなるものである。
【００２０】
前記屈曲部５ｃの端部から遮光部５ｄが延設されるのであるが、図４−Ｂ（Ｂ）に示すように、屈曲部５ｃの端部から接線方向に延設するのではなく、更に上側に角度θ多くして上に曲げられて延設されている。これにより、前記開口部２ａの閉蓋状態のときに、屈曲部５ｃの付勢力で遮光部５ｄの先端部が開口部２ａの内壁に当接し、確実に開口部２ａを密閉して防塵及び遮光するものである。
【００２１】
また、前記遮光部５ｄの側面の一部が内側に折り曲げられた補強部５ｅで補強されている。平板状の遮光部５ｄが嵌合相手方のプラグ等の衝突によって変形しないようにするためである。更に、図４−Ｂに示すように、シャッター５における遮光部５ｄの先端部も、内側に屈曲されて遮光部の補強とプラグの引っ掛かり防止を兼ねている内側曲げ部５ｆとなっている。
【００２２】
前記第１分割体２において、図５（Ａ）に示すように、前記開口部２ａの奥の壁面に緩衝材取付け孔２ｂが設けられている。なお、図１（Ａ）に示すように、第２分割体３の側にも、金型の対称性から同様な緩衝材取付け孔３ａが設けられている。第２分割体３側の開口部にもシャッターは設けられるので、光コネクタ用アダプタの用途に合わせて、緩衝材及びシャッターを増設できる。
【００２３】
前記緩衝材取付け孔２ｂには、図５（Ｂ）〜（Ｃ）に示す衝撃吸収用の緩衝材８が設けられている。この緩衝材８は、例えば、コイルスプリングであり、前記緩衝材取付け孔２ｂに差し込んで組み付けて抜け出さないように、スプリングの直径が２段になっている。
【００２４】
また、図４−Ａに示すように、第１分割体２における開口部２ａの底面には、後方側に向って高さが次第に高くなるテーパ２ｋが２箇所に設けられている。このテーパ２ｋは、プラグを開口部２ａに嵌合させる際に、意地悪嵌合（下に押し付ける等）した場合でも、押し倒されたシャッター５を下から支えて該シャッター５の変形を防止するとともに、前記プラグをガイドして支障なく嵌合させるものである。
【００２５】
上記構成物件の第１分割体２、第２分割体３、割りスリーブ４、シャッター５、緩衝材８を用意して、図１（Ａ），（Ｂ）に示すように、緩衝材８をその段差に注意して緩衝材取付け孔２ｂに、後方からシャッター５のある前方側へと所定の方向から差し入れ、割りスリーブ４を前後方向において両側から挟むようにしてスリーブホルダ７の内部に装着させる。
【００２６】
前記第１分割体２と第２分割体３を嵌合合体させ、シャッター５を開口部２ａに装着する。図１（Ｂ）に示すように、シャッター５の基部５ａが第１分割体２の嵌合溝２ｊに差し込まれると、係合突起２ｈに係合孔５ｂが嵌り、抜け止めとなる。また、シャッター５の遮光部５ｄが、開口部２ａに入って開放されると屈曲部５ｃの付勢力で拡開し当該開口部２ａに密着して閉蓋する。こうして、図２及び図３に示す光コネクタ用アダプタ１となる。
【００２７】
図７−Ａ（Ａ）に示すように、本発明に係る光コネクタ用アダプタ１に、相手方の光コネクタプラグ１０を差し込むと、図７−Ｂ（Ａ）〜（Ｃ）に示すように、前記光コネクタプラグ１０のプラグハウジング１０ａによってシャッター５がアダプタ内側に倒され、屈曲部５ｃにおいて付勢力が増大し、シャッター先端がプラグハウジング１０ａの下面に密着する。
【００２８】
前記光コネクタプラグ１０のプラグハウジング１０ａは、前記シャッター５を押し倒して退避させた後は、開口部２ａの奥の内壁に衝突するまで挿入される。そのとき、図５（Ｂ），（Ｃ）に示すように、緩衝材８であるコイルスプリングが前記奥の内壁から突出していて、このコイルスプリングに前記プラグハウジング１０ａの先端面が衝突する。よって、プラグハウジング１０ａの衝撃を吸収して、衝撃音の発生を防止し、図７−Ａ（Ｂ）に示すように、光コネクタプラグ１０と光コネクタ用アダプタ１との光接続が確実に行われる。
【００２９】
また、図７−Ｂ（Ｄ）及び図８に示す状態から、光コネクタプラグを抜き去ると、シャッター５が屈曲部５ｃの付勢力によって拡開しようとするので、遮光部５ｄの先端部とプラグハウジング１０ａの下面とが擦れた状態となる。
【００３０】
そこで、前記プラグハウジング１０ａが図７−Ｂ（Ｄ）の図示において前方に抜去されると、前記遮光部５ｄの先端部のエッジがプラグハウジング１０ａの下面に引っかかる恐れがある。この対策として、遮光部５ｄの先端部に設けた内側曲げ部５ｆにより、引っ掛かりがなくスムーズに前記プラグハウジング１０ａを第１分割体から脱着させることができる。
【実施例２】
【００３１】
本発明に係る光コネクタ用アダプタ１は、部品点数を少なくして上記のように形成され構成されるが、緩衝材８においては、例えば、内壁にスポンジ、ウレタン等を貼着したり、合成樹脂製の内壁の一部を延設して弾性片を設けたりすることもできる。
【符号の説明】
【００３２】
１          光コネクタ用アダプタ、
２          第１分割体、                ２ａ          開口部、
２ｂ        緩衝材取付け孔、            ２ｃ          係合片、
２ｄ        係合孔、                    ２ｅ          係合突起、
２ｆ        ガイド片、                  ２ｇ          ガイド位置決め部、
２ｈ        係合突起、                  ２ｊ          嵌合溝、
２ｋ        テーパ、          
３          第２分割体、                ３ａ          緩衝材取付け孔、
４          割りスリーブ、
５          シャッター、                ５ａ          基部、
５ｂ        係合孔、                    ５ｃ          屈曲部、
５ｄ        遮光部、                    ５ｅ          補強部、
５ｆ        内側曲げ部、      
６ａ        係合片、
７          スリーブホルダ、
８          緩衝材、
１０        光コネクタプラグ、          １０ａ        プラグハウジング、
１１        従来の光コネクタ用アダプタ。
【図１】
2013113878.tif 000003
【図２】
2013113878.tif 000004
【図３】
2013113878.tif 000005
【図４−Ａ】
2013113878.tif 000006
【図４−Ｂ】
2013113878.tif 000007
【図５】
2013113878.tif 000008
【図６】
2013113878.tif 000009
【図７−Ａ】
2013113878.tif 000010
【図７−Ｂ】
2013113878.tif 000011
【図８】
2013113878.tif 000012
【図９】
2013113878.tif 000013